(57)【要約】【課題】酒グラス上に設置し、様々な形状の酒瓶に取り付けて酒に対してデキャンタ処理することができるデキャンタを提供する。【解決手段】デキャンタは中空状の筒体１と拡散器２とを備える。筒体１は、開放状の上端１２と、カップのカップ口に結合される下端１３とを有する。拡散器２は、筒体１の内側に設けられるとともに、筒体１の内壁に横向きに接続された盤体２１を有する。盤体２１は、中心部を有し、中心部は下端へ向かって延びて球曲面が形成され、中心部の周りには、複数の穿孔２３Ａが形成される。穿孔２３Ａの延伸方向は、球曲面に対してそれぞれ垂直である。上端１２の口径は、下から上方向にかけて広がった形状を有する。下端１３は、ねじ部１３１を有する。穿孔２３Ａは円孔である。【選択図】図３
0003213480.tif 000002
【実用新案登録請求の範囲】
【請求項１】
中空状の筒体と、拡散器と、を備えたデキャンタであって、  
前記筒体は、開放状の上端と、カップのカップ口に結合される下端と、を有し、  
前記拡散器は、前記筒体の内側に設けられるとともに、前記筒体の内壁に横向きに接続された盤体を有し、  
前記盤体は、中心部を有し、前記中心部は下端へ向かって延びて球曲面が形成され、前記中心部の周りには、複数の穿孔が形成され、  
前記穿孔の延伸方向は、前記球曲面に対してそれぞれ垂直であることを特徴とするデキャンタ。
【請求項２】
前記上端の口径は、下から上方向にかけて広がった形状を有することを特徴とする請求項１に記載のデキャンタ。
【請求項３】
前記下端は、ねじ部を有することを特徴とする請求項１に記載のデキャンタ。
【請求項４】
前記穿孔は円孔であることを特徴とする請求項１に記載のデキャンタ。
【請求項５】
前記穿孔は、円孔及び弧形長孔を含み、  
前記弧形長孔は、前記円孔の外側に位置することを特徴とする請求項１に記載のデキャンタ。
【請求項６】
前記穿孔は扇形孔であることを特徴とする請求項１に記載のデキャンタ。
【請求項７】
前記穿孔の両側には、傾斜面が形成されていることを特徴とする請求項６に記載のデキャンタ。
【考案の詳細な説明】
【技術分野】
【０００１】
本考案は、容器に関し、特に、デキャンタに関する。
【背景技術】
【０００２】
酒（特にワイン）は、飲用前にデキャンタ処理すると、香りが際立ち、酸味・渋みの口当たりがソフトとなって味がまろやかとなる。デキャンタ処理により酒を空気に触れさせて適宜酸化するために、市販されているデキャンタは、この原理に基づいて構造設計されている。
【０００３】
図１０に示すように、従来のデキャンタは、本体４を有する。管状本体４の内部には、錐形状の酒流路４１と、空気流路４２とから構成されたＴ字状流路が設けられ、実際に使用する際には、本体４を酒瓶の瓶口５に挿入すると酒流路４１が酒瓶と連通し、酒を注ぐときに酒流路４１を介して酒が流出すると、ベンチュリ効果により外部の空気が空気流路４２に吸入され、酒流路４１中の酒と混合されてデキャンタ効果が得られた。
【０００４】
しかし酒瓶にとって質感は重要であり、酒瓶の形状はそれぞれ異なるように設計されるため、その瓶口５の寸法には統一された規格はなかった。しかし、上述したような従来のデキャンタは、瓶口５の寸法が本体１に対応していなければ酒瓶に固定することができず、汎用性に劣っていた。
【考案の概要】
【考案が解決しようとする課題】
【０００５】
本考案の主な目的は、酒グラス上に設置し、様々な形状の酒瓶に取り付けて酒をデキャンタ処理することができる上、外側へ広がった穿孔により酒を外側へ流動させて空気と触れる面積及び時間を増やし、高いデキャンタ効果を得るデキャンタを提供することにある。
【図面の簡単な説明】
【０００６】
【図１】図１は、本考案の第１実施形態に係るデキャンタを示す斜視図である。
【図２】図２は、本考案の第１実施形態に係るデキャンタを示す上面図である。
【図３】図３は、本考案の第１実施形態に係るデキャンタを示す断面図である。
【図４】図４は、本考案の第１実施形態に係るデキャンタの使用状態の説明図である。
【図５】図５は、本考案の第２実施形態に係るデキャンタを示す斜視図である。
【図６】図６は、本考案の第２実施形態に係るデキャンタを示す上面図である。
【図７】図７は、本考案の第３実施形態に係るデキャンタを示す斜視図である。
【図８】図８は、本考案の第３実施形態に係るデキャンタを示す上面図である。
【図９】図９は、図８の線Ａ−Ａに沿った断面図である。
【図１０】図１０は、従来構造の使用状態の説明図である。
【考案を実施するための形態】
【０００７】
（第１実施形態）
図１〜図３を参照する。図１〜図３に示すように、本考案の第１実施形態に係るデキャンタは、少なくとも中空状の筒体１と、拡散器２と、から構成されてなる。筒体１は、流路１１を囲んで画成するとともに、開放状の上端１２と、下端１３とを有する。上端１２の口径は、下から上方向にかけて広がった形状を有する。下端１３は、カップのカップ口に結合される。第１実施形態の下端１３は、カップ口が有するねじ部に対応して強固に結合可能なねじ部１３１を有する。
【０００８】
拡散器２は、筒体１の内側に設けられる。拡散器２は、筒体１の内壁に横向きに接続されて流路１１を横切る。拡散器２は、周縁が筒体１の内壁に接続された盤体２１を有する。盤体２１は、中心部２２を有する。中心部２２は下端１３へ向かって延びて球曲面が形成される。盤体２１は、中心部２２の高さが周囲の周縁より低い。
【０００９】
また、盤体２１には、複数の穿孔が形成されている。各穿孔２３Ａは、中心部２２の周囲に対称的に形成されている。第１実施形態では、各穿孔２３Ａは円孔であるとともに、図３の中心軸線Ｃはその延伸方向を示している。各穿孔２３Ａの中心軸線Ｃは、各穿孔２３Ａの球曲面に対して垂直である。盤体２１を全体的に見ると、各穿孔２３Ａは、筒体１の下端１３へ向かって拡散している。
【００１０】
上述の構造により、第１実施形態を実際に使用する際、図４に示すように、筒体１は、下端１３を介してカップ３のカップ口に嵌設するか螺合すると、流路１１がカップ３に接続され、酒が筒体１に注ぎ入れられると、酒が盤体２１の中心部２２に当たって撥ねて周囲に広がり、筒体１の内壁に沿って流れ落ちる。このように、酒が盤体２１へ注がれると、盤体２１の形状が中心部２２へ向かって集中しているため、各穿孔２３Ａを介してカップ３へ落下すると、各穿孔２３Ａを介して筒体１の下端１３へ向かって拡散し、酒が周囲へ向かって拡散してカップ３へ注がれる。そのため、酒を注ぐだけで酒が空気に触れて混合され、デキャンタ効果を得ることができる。第１実施形態は、特にシャンペンに適する。
【００１１】
上述したことから分かるように、本考案の長所はカップ３上に取り付けることができ、各種規格・寸法の瓶口を有する酒瓶に適用可能で、汎用性に優れて使用し易い点にある。
【００１２】
（第２実施形態）
図５及び図６を参照する。図５及び図６に示すように、本考案の第２実施形態に係るデキャンタは、前述した第１実施形態を基礎とし、穿孔の形状を変化させたものである。第２実施形態の盤体２１上には、円孔２３Ｂ及び弧形長孔２３Ｃを含む穿孔が形成されている。各弧形長孔２３Ｃは、円孔２３Ｂの外側に位置する。第２実施形態のこのような穿孔の形状は、特に果実酒に適する。
【００１３】
（第３実施形態）
図７及び図８を参照する。図７及び図８に示すように、本考案の第３実施形態に係るデキャンタは、前述した第１実施形態を基礎とし、穿孔の形状を変化させたものである。第３実施形態において、盤体２１の各穿孔は、扇形孔２３Ｄに形成される。図９に示すように、各扇形孔２３Ｄの両側は傾斜面に形成されている。第３実施形態のこのような穿孔の形状は、特に赤ワインに適する。また、第３実施形態では、中心部２２が上向きに隆起するように形成され、その周りには複数の溝部２２１が設けられているため、赤ワインが中心部２２へ注がれると、周囲へ向かって分散され、各溝部２２１に沿って各穿孔２３Ａへ向かって流れるため、デキャンタ効果が得られる。
【符号の説明】
【００１４】
１  筒体
２  拡散器
３  カップ
４  本体
５  瓶口
１１  流路
１２  上端
１３  下端
２１  盤体
２２  中心部
２３Ａ  穿孔
２３Ｂ  円孔
２３Ｃ  弧形長孔
２３Ｄ  扇形孔
４１  酒流路
４２  空気流路
１３１  ねじ部
２２１  溝部
Ｃ  中心軸線
【図１】
0003213480.tif 000003
【図２】
0003213480.tif 000004
【図３】
0003213480.tif 000005
【図４】
0003213480.tif 000006
【図５】
0003213480.tif 000007
【図６】
0003213480.tif 000008
【図７】
0003213480.tif 000009
【図８】
0003213480.tif 000010
【図９】
0003213480.tif 000011
【図１０】
0003213480.tif 000012